(57)【要約】【課題】適切な温度の洗浄水による洗浄および十分な流量の洗浄水による洗浄が可能な衛生洗浄装置を提供する。【解決手段】制御部は、おしりスイッチが押下されたと判定すると、温度優先モードで洗浄動作を開始する。温度優先モードでは、洗浄水の温度を確実に４０℃まで加熱することができるようにセラミックヒータの昇温能力の範囲内で洗浄水の流量が調整される。また、制御部は、パワースイッチが押下されたと判定すると、流量優先モードで洗浄動作を開始する。流量優先モードでは、セラミックヒータの昇温能力にかかわらず洗浄水の流量が調整される。【選択図】　　　　図１７
2004092344.tif 000002
【特許請求の範囲】
【請求項１】
給水源から供給される洗浄水を人体に噴出する衛生洗浄装置であって、
前記給水源から供給される洗浄水を流動させつつ加熱する瞬間式加熱手段と、
前記瞬間式加熱手段から供給される洗浄水を噴出する噴出手段と、
前記噴出手段から噴出される洗浄水の流量を調整する流量調整手段と、
水勢を設定する水勢設定手段と、
動作モードを温度優先モードまたは流量優先モードに設定する動作モード設定手段と、
前記温度優先モード時に加熱された洗浄水の温度が所定の下限値以上となる流量の範囲内において前記水勢設定手段により設定された水勢に基づいて前記流量調整手段を制御し、前記流量優先モード時に前記下限値にかかわらず洗浄水の流量が所定の値になるように前記流量調整手段を制御する制御手段とを備えたことを特徴とする衛生洗浄装置。
【請求項２】
前記制御手段は、前記温度優先モード時に流量が所定の上限値以下となるように前記水勢設定手段の設定に基づいて前記流量調整手段を制御し、前記流量優先モード時に流量が前記上限値よりも高い値となるように前記流量調整手段を制御することを特徴とする請求項１記載の衛生洗浄装置。
【請求項３】
前記動作モード設定手段は、前記温度優先モードおよび前記流量優先モードのいずれかを選択する選択スイッチを含むことを特徴とする請求項１または２記載の衛生洗浄装置。
【請求項４】
前記動作モード設定手段は、前記流量優先モードを解除する解除スイッチを含むことを特徴とする請求項１〜３のいずれかに記載の衛生洗浄装置。
【請求項５】
前記動作モード設定手段は、動作モードを前記流量優先モードに設定する設定スイッチを含み、
前記制御手段は、前記設定スイッチの操作に応答して流量が前記温度優先モード時の最大流量よりも大きくなるように前記流量調整手段を制御することを特徴とする請求項１〜４のいずれかに記載の衛生洗浄装置。
【請求項６】
前記水勢設定手段は、流量優先モード時に水勢の設定を調整する設定調整手段を含み、
前記制御手段は、前記流量優先モード時に前記設定調整手段により調整された設定に基づいて前記流量調整手段を制御することを特徴とする請求項１〜５のいずれかに記載の衛生洗浄装置。
【請求項７】
前記制御手段は、前記流量優先モード時に洗浄水の流量が５００ｃｃ／ｍｉｎ以下になるように前記流量調整手段を制御することを特徴とする請求項１〜６のいずれかに記載の衛生洗浄装置。
【請求項８】
前記制御手段は、前記流量優先モードから前記温度優先モードへの切り替え時に、流量が連続的に漸次減少するように前記流量調整手段を制御することを特徴とする請求項７記載の衛生洗浄装置。
【請求項９】
前記噴出手段から噴出される洗浄水の広がり角度を調整する広がり角度調整手段をさらに備え、
前記制御手段は、前記広がり角度調整手段により調整された洗浄水の広がり角度が所定の角度よりも大きい場合に前記流量優先モードを無効にすることを特徴とする請求項１〜８のいずれかに記載の衛生洗浄装置。
【請求項１０】
前記噴出手段から噴出される洗浄水を直線流または複数段階の広がり角度を有する分散流に設定するための噴出形態設定手段と、
前記噴出手段より噴出する洗浄水の噴出形態を調整する噴出形態調整手段とをさらに備え、
前記制御手段は、前記噴出形態設定手段により設定された噴出形態の洗浄水が前記噴出手段から噴出されるように前記噴出形態調整手段を制御することを特徴とする請求項１〜９のいずれかに記載の衛生洗浄装置。
【請求項１１】
前記制御手段は、前記噴出形態設定手段により分散旋回流が設定されている場合に前記流量優先モードを無効にすることを特徴とする請求項１０記載の衛生洗浄装置。
【請求項１２】
前記制御手段は、前記流量優先モード時に前記噴出手段から直線流が噴出されるように前記噴出形態調整手段を制御することを特徴とする請求項１０または１１記載の衛生洗浄装置。
【請求項１３】
前記瞬間式加熱手段から供給される洗浄水を加圧して前記噴出手段に供給する加圧手段をさらに備えたことを特徴とする請求項１〜１２のいずれかに記載の衛生洗浄装置。
【請求項１４】
前記加圧手段は、洗浄水に周期的な圧力変動を与えつつ加圧することを特徴とする請求項１３記載の衛生洗浄装置。
【請求項１５】
前記加圧手段は、往復運動を行う加圧部材を有する往復動ポンプを含むことを特徴とする請求項１４記載の衛生洗浄装置。
【請求項１６】
前記流量調整手段は前記加圧手段であり、
前記制御手段は、前記加圧手段による圧力を制御することにより流量を制御することを特徴とする請求項１３〜１５のいずれかに記載の衛生洗浄装置。
【請求項１７】
前記流量調整手段は、
前記瞬間式加熱手段から供給される洗浄水の流量を調整する流量調整弁を含むことを特徴とする請求項１〜１６のいずれかに記載の衛生洗浄装置。
【発明の詳細な説明】
【０００１】
【発明の属する技術分野】
本発明は、瞬間式加熱装置を備えた衛生洗浄装置に関する。
【０００２】
【従来の技術】
一般に、人体の局部を洗浄する衛生洗浄装置においては、人体に不快感を与えないようにするため洗浄に用いる洗浄水を適切な温度に調整する加熱装置が備えられている。このような加熱装置には、主に貯湯式加熱装置または瞬間式加熱装置がある。
【０００３】
貯湯式加熱装置は、予め所定量の洗浄水を貯えるとともに内蔵した加熱ヒータにより洗浄水を所定の温度に加熱する温水タンクを備え、人体の局部を洗浄する際に、予め温水タンク内で所定の温度に加熱した洗浄水を水道圧を利用するか若しくはポンプ等により圧送してノズルより噴出させる方法を採用している。
【０００４】
一方、瞬間式加熱装置は、人体の局部を洗浄する際に、洗浄水を昇温速度に優れたセラミックヒータ等の加熱ヒータにより所定の温度に加熱し、水道圧を利用するかもしくはポンプ等により圧送してノズルより噴出させる方法を採用している。
【０００５】
そのため、瞬間式加熱装置においては、予め洗浄水を所定の温度に維持し続ける必要がなく、使用時のみ加熱ヒータに電力を供給すればよいので、消費電力を抑制することができる。また、長時間の洗浄や、トイレの連続使用等により多量の洗浄水を人体の局部の洗浄に用いた際でも、洗浄水の温度が所定の温度以下に低下して人体に不快感を与えることを防止することができる。
【０００６】
近年、衛生洗浄装置においては、使用者の好みに応じた洗浄を実現すべく各種機能が提案されてきた。例えば、使用者の好みに応じた洗浄を実現するためにノズルから噴出される洗浄水の水勢を調整する機能が設けられている（例えば、特許文献１参照）。使用者は、自己の好みに応じてノズルから噴出される洗浄水の水勢を調整することができる。
【０００７】
【特許文献１】
特開昭５９−１０６６３７号公報
【０００８】
【発明が解決しようとする課題】
しかしながら、瞬間式加熱装置を用いた衛生洗浄装置では、洗浄水の瞬間的な昇温が求められるため、使用者の局部に噴出する洗浄水の流量を多くすることが難しい。つまり、瞬間式加熱装置を用いた衛生洗浄装置においては、適切な温度の洗浄水をノズルより噴出しようとすると洗浄水の流量が制限される。そのため、使用者が十分な流量の洗浄水による洗浄を望む場合に、使用者の要求を満足することが困難である。
【０００９】
本発明の目的は、適切な温度の洗浄水による洗浄および十分な流量の洗浄水による洗浄が可能な衛生洗浄装置を提供することである。
【００１０】
【課題を解決するための手段】
本発明に係る衛生洗浄装置は、給水源から供給される洗浄水を人体に噴出する衛生洗浄装置であって、給水源から供給される洗浄水を流動させつつ加熱する瞬間式加熱手段と、瞬間式加熱手段から供給される洗浄水を噴出する噴出手段と、噴出手段から噴出される洗浄水の流量を調整する流量調整手段と、水勢を設定する水勢設定手段と、動作モードを温度優先モードまたは流量優先モードに設定する動作モード設定手段と、温度優先モード時に加熱された洗浄水の温度が所定の下限値以上となる流量の範囲内において水勢設定手段により設定された水勢に基づいて流量調整手段を制御し、流量優先モード時に下限値にかかわらず洗浄水の流量が所定の値になるように流量調整手段を制御する制御手段とを備えたものである。
【００１１】
本発明に係る衛生洗浄装置においては、給水源から供給される洗浄水が瞬間式加熱手段により流動されつつ加熱され、加熱された洗浄水が噴出手段から噴出される。噴出手段から噴出される洗浄水の流量は流量調整手段により調整される。使用者は水勢設定手段を用いて水勢を設定することができ、動作モード設定手段を用いて動作モードを温度優先モードまたは流量優先モードに設定することができる。
【００１２】
温度優先モード時には、加熱された洗浄水の温度が所定の下限値以上となる流量の範囲内において水勢設定手段により設定された水勢に基づいて制御手段により流量調整手段が制御される。この場合、洗浄水の温度を所定の下限値以上に制御することが、洗浄水の流量を設定された水勢に対応する流量に制御することよりも優先される。それにより、適切な温度の洗浄水が噴出手段から噴出される。
【００１３】
流量優先モード時には、温度の下限値にかかわらず洗浄水の流量が所定の値になるように制御手段により流量調整手段が制御される。この場合、洗浄水の流量を所定の値に制御することが、洗浄水の温度を所定の下限値以上に制御することよりも優先される。それにより、周囲の温度にかかわらず十分な流量の洗浄水が噴出手段から噴出される。
【００１４】
制御手段は、温度優先モード時に流量が所定の上限値以下となるように水勢設定手段の設定に基づいて流量調整手段を制御し、流量優先モード時に流量が上限値よりも高い値となるように流量調整手段を制御してもよい。
【００１５】
この場合、温度優先モード時には、流量が所定の上限値以下となるように水勢設定手段の設定に基づいて制御手段により流量調整手段が制御される。それにより、洗浄水の温度の低下が防止され、常に適切な温度の洗浄水が噴出手段から噴出される。また、流量優先モード時には、流量が上限値よりも高い値となるように制御手段により流量調整手段が調整される。それにより、高い洗浄力および洗浄感が得られる。
【００１６】
動作モード設定手段は、温度優先モードおよび流量優先モードのいずれかを選択する選択スイッチを含んでもよい。この場合、使用者は、選択スイッチを用いて温度優先モードおよび流量優先モードのいずれかを容易に選択することができる。
【００１７】
動作モード設定手段は、流量優先モードを解除する解除スイッチを含んでもよい。この場合、使用者は、解除スイッチを用いて流量優先モードを容易に解除することができる。それにより、動作モードを即座に温度優先モードに切り替えることができる。
【００１８】
動作モード設定手段は、動作モードを流量優先モードに設定する設定スイッチを含み、制御手段は、設定スイッチの操作に応答して流量が温度優先モード時の最大流量よりも大きくなるように流量調整手段を制御してもよい。
【００１９】
使用者が設定スイッチを用いて動作モードを流量優先モードに設定した場合、設定スイッチの操作に応答して流量が温度優先モード時の最大流量よりも大きくなるように流量調整手段が制御される。それにより、高い洗浄力および洗浄感を得ることができる。
【００２０】
水勢設定手段は、流量優先モード時に水勢の設定を調整する設定調整手段を含み、制御手段は、流量優先モード時に設定調整手段により調整された設定に基づいて流量調整手段を制御してもよい。
【００２１】
この場合、流量優先モード時にも、設定調整手段により水勢の設定を調整することにより流量を調整することができる。
【００２２】
制御手段は、流量優先モード時に洗浄水の流量が５００ｃｃ／ｍｉｎ以下になるように流量調整手段を制御してもよい。
【００２３】
この場合、流量優先モード時に洗浄水の流量が５００ｃｃ／ｍｉｎ以下に制御されることにより、流量優先モード時に洗浄水の温度が使用者の体温程度以上にまで確実に昇温される。それにより、洗浄水の流量を十分に確保しつつ洗浄水の温度が人体に不快な温度まで低下することを防止することができる。
【００２４】
制御手段は、流量優先モードから温度優先モードへの切り替え時に、加熱された洗浄水の温度が下限値以上となる流量の範囲内において流量が漸次減少するように流量調整手段を制御してもよい。
【００２５】
この場合、流量優先モードから温度優先モードへの切替時に、加熱された洗浄水の温度が下限値以上となる流量の範囲内において流量が漸次減少するので、洗浄水の流量の急激な減少による洗浄水の温度の急激な上昇が防止される。
【００２６】
給水源から瞬間式加熱手段に供給される洗浄水の温度を検出する入水温度検出手段をさらに備え、制御手段は、流量優先モードから温度優先モードへの切り替え時に、入水温度検出手段により検出された温度に基づいて、加熱された洗浄水の温度が下限値以上となる流量の範囲内において水勢設定手段により設定可能な最大水勢で最大流量が得られるように水勢設定手段により設定される水勢と流量との関係を再設定してもよい。
【００２７】
この場合、流量優先モードから温度優先モードへの切り替え時に、検出された温度に基づいて、加熱された洗浄水の温度が下限値以上となる流量の範囲内において水勢設定手段により設定可能な最大水勢で最大流量が得られるように水勢と流量との関係が再設定される。それにより、流量優先モードから温度優先モードへの切り替え時に、洗浄水の温度が急変することが防止される。
【００２８】
噴出手段から噴出される洗浄水の広がり角度を調整する広がり角度調整手段をさらに備え、制御手段は、広がり角度調整手段により調整された洗浄水の広がり角度が所定の角度よりも大きい場合に流量優先モードを無効にしてもよい。
【００２９】
洗浄水の広がり角度が大きい場合には使用者は温度を低く感じる傾向にある。したがって、洗浄水の広がり角度が所定の角度よりも大きい場合に流量優先モードが無効にされることにより、流量を確保するために体感温度が低下することが防止される。また、使用者は、柔らかな洗浄感を好む場合に洗浄水の広がり角度を大きく設定することが多く、洗浄水の広がり角度が大きい場合にはたっぷりとした流量感を得ることができるので、洗浄水の広がり角度が大きい場合に実際の流量が低下しても問題はない。
【００３０】
噴出手段から噴出される洗浄水を直線流または複数段階の広がり角度を有する分散流に設定するための噴出形態設定手段と、噴出手段より噴出する洗浄水の噴出形態を調整する噴出形態調整手段とをさらに備え、制御手段は、噴出形態設定手段により設定された噴出形態の洗浄水が噴出手段から噴出されるように噴出形態調整手段を制御してもよい。
【００３１】
この場合、使用者は噴出形態設定手段を用いて噴出手段から噴出される洗浄水を直線流または複数段階の広がり角度を有する分散流に設定することができる。それにより、設定された噴出形態の洗浄水が噴出手段から噴出され、使用者の嗜好または体調に応じた種々の洗浄感および洗浄力を得ることができる。
【００３２】
制御手段は、噴出形態設定手段により分散流が設定されている場合に流量優先モードを無効にしてもよい。
【００３３】
洗浄水の噴出形態が分散流の場合には使用者は温度を低く感じる傾向にある。したがって、洗浄水の噴出形態が分散流に設定されている場合に流量優先モードが無効にされることにより、流量を確保するために洗浄水の体感温度が低下することが防止される。また、使用者は、柔らかな洗浄感を好む場合に洗浄水の噴出形態を分散流に設定することが多く、洗浄水の噴出形態が分散流の場合にはたっぷりとした流量感を得ることができるので、洗浄水の噴出形態が分散流の場合に実際の流量が低下しても問題はない。
【００３４】
制御手段は、流量優先モード時に噴出手段から直線流が噴出されるように噴出形態調整手段を制御してもよい。
【００３５】
洗浄水の噴出形態が直流流の場合には強い洗浄感および洗浄力が得られる。したがって、流量優先モード時に直線流が噴出されることにより、十分な流量が確保され、より強い洗浄感および洗浄力を得ることができる。
【００３６】
瞬間式加熱手段から供給される洗浄水を加圧して噴出手段に供給する加圧手段をさらに備えてもよい。
【００３７】
この場合、瞬間式加熱手段からの洗浄水が加圧手段により加圧されて噴出手段に供給される。それにより、噴出手段から噴出される洗浄水の流量を増加させることが可能となる。その結果、洗浄感および洗浄力が向上する。
【００３８】
加圧手段は、洗浄水に周期的な圧力変動を与えつつ加圧してもよい。この場合、加圧手段により洗浄水を周期的に変動する圧力で吐出させることができる。したがって、噴出手段から噴出される洗浄水の噴出速度が周期的に増加する。噴出孔から噴出された洗浄水は、空気抵抗により広がりを持った粒状に変化するので、少ない流量の洗浄水でも人体に高い洗浄感および洗浄力を与えることができる。また、洗浄水の圧力変動を制御することにより使用者の嗜好および体調に応じた洗浄が可能となる。
【００３９】
加圧手段は、往復運動を行う加圧部材を有する往復動ポンプを含んでもよい。この場合、往復動ポンプにより洗浄水を周期的に変動する圧力で噴出手段から噴出させることができる。
【００４０】
流量調整手段は加圧手段であり、制御手段は、加圧手段による圧力を制御することにより流量を制御してもよい。この場合、加圧手段の制御により洗浄感および洗浄力を制御することができる。
【００４１】
流量調整手段は、瞬間式加熱手段から供給される洗浄水の流量を調整する流量調整弁を含んでもよい。この場合、流量調整弁の制御により洗浄感および洗浄力を制御することができる。
【００４２】
【発明の実施の形態】
以下、本発明の実施の形態に係る衛生洗浄装置について説明する。
【００４３】
図１は本発明の一実施の形態に係る衛生洗浄装置を便器に装着した状態を示す斜視図である。
【００４４】
図１に示すように、便器６００上に衛生洗浄装置１００が装着される。タンク７００は、水道配管に接続されており、便器６００内に洗浄水を供給する。
【００４５】
衛生洗浄装置１００は、本体部２００、遠隔操作装置３００、便座部４００および蓋部５００により構成される。
【００４６】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００の下面に取り付けられた便座スイッチ１５からの信号を受け、便座部４００に内蔵されたヒータ、本体部２００に設けられた脱臭装置（図示せず）および温風供給装置（図示せず）等の制御を行う。
【００４７】
図２は図１の遠隔操作装置３００の一例を示す模式図である。
図２に示すように、遠隔操作装置３００は、複数のＬＥＤ（発光ダイオード）３０１、複数の調整スイッチ３０２、おしりスイッチ３０３、マッサージスイッチ３０４、停止スイッチ３０５、ビデスイッチ３０６、乾燥スイッチ３０７、脱臭スイッチ３０８およびパワースイッチ３０９を備える。
【００４８】
使用者により調整スイッチ３０２、おしりスイッチ３０３、マッサージスイッチ３０４、停止スイッチ３０５、ビデスイッチ３０６、乾燥スイッチ３０７、脱臭スイッチ３０８およびパワースイッチ３０９が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００４９】
例えば、使用者が、おしりスイッチ３０３またはビデスイッチ３０６を押下操作することにより図１の本体部２００のノズル部３０が移動して洗浄水が噴出する。マッサージスイッチ３０４を押下操作することにより図１の本体部２００のノズル部３０から人体の局部に刺激を与える洗浄水が噴出される。パワースイッチ３０９を押下操作することにより、後述する流量優先モードで洗浄水が噴出される。停止スイッチ３０５を押下操作することによりノズル部３０からの洗浄水の噴出が停止する。
【００５０】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００５１】
調整スイッチ３０２は、水勢調整スイッチ３０２ａ，３０２ｂ、温度調整スイッチ３０２ｃ，３０２ｄおよび噴出形態調整スイッチ３０２ｅ，３０２ｆを含む。
【００５２】
使用者が、水勢調整スイッチ３０２ａ，３０２ｂを押下操作することにより、図１の衛生洗浄装置１００の本体部２００のノズル部３０より噴出される洗浄水の水勢（流量）が変化し、温度調整スイッチ３０２ｃ，３０２ｄを押下操作することにより、ノズル部３０より噴出される洗浄水の温度が変化する。また、噴出形態調整スイッチ３０２ｅ，３０２ｆを押下操作することによりノズル部３０より噴出される洗浄水の噴出形態と広がり角度とが変化し、被洗浄面の洗浄面積が変化する。調整スイッチ３０２の押下に伴って複数のＬＥＤ（発光ダイオード）３０１が点灯する。
【００５３】
以下、本発明の一実施の形態に係る衛生洗浄装置１００の本体部２００について説明を行う。図３は本発明の一実施の形態に係る衛生洗浄装置１００の本体部２００の構成を示す模式図である。
【００５４】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、室温センサ１２ｃ、通水センサ１２ｄ、ポンプ１３、切替弁１４およびノズル部３０を含む。また、ノズル部３０は、おしりノズル１、ビデノズル２およびノズル洗浄用ノズル３を含む。
【００５５】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂ、通水センサ１２ｄおよびポンプ１３が介挿されている。また、室温センサ１２ｃは、衛生洗浄装置１００の本体部２００の周囲の温度が測定可能な位置に設けられる。
【００５６】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００５７】
また、ポンプ１３と切替弁１４との間にはリリーフ配管２０４が接続され、止水電磁弁９と流量センサ１０との間には、分岐点Ａにおいて逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、水圧異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００５８】
次いで、流量センサ１０は、配管２０２内を流れる洗浄水の流量を測定し、制御部４に流量測定値を与える。また、温度センサ１２ａは、配管２０２内を流れる洗浄水の温度を測定し、制御部４に温度測定値を与える。
【００５９】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。通水センサ１２ｄは、配管２０３内に洗浄水が通水していることを示す通水信号を制御部４に与える。
【００６０】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。
【００６１】
制御部４は、図１の遠隔操作装置３００から無線送信される信号、流量センサ１０から与えられる流量測定値、温度センサ１２ａ，１２ｂから与えられる温度測定値、通水センサ１２ｄから与えられる通水信号に基き止水電磁弁９、熱交換器１１、ポンプ１３および切替弁１４に対して制御信号を与える。
【００６２】
図４は熱交換器１１の構造の一例を示す一部切り欠き断面図である。
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００６３】
図３の制御部４は、温度センサ１２ａおよび１２ｂより与えられる温度測定値に基いて、熱交換器１１のセラミックヒータ５０５の温度をフィードバック制御する。
【００６４】
本実施の形態においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００６５】
図５はポンプ１３の構造の一例を示す断面図である。図５のポンプは複動型レシプロポンプである。
【００６６】
図５において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００６７】
本体部１３８の一側部には洗浄水入口ＰＩが設けられ、他側部には洗浄水出口ＰＯが設けられている。洗浄水入口ＰＩには図３の配管２０３を介して熱交換器１１が接続され、洗浄水出口ＰＯには配管２０３を介して切替弁１４が接続される。
【００６８】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００６９】
ポンプ室１３９ａは、小室Ｓ５、小室Ｓ７および内部流路Ｐ３を介して洗浄水出口ＰＯに連通している。ポンプ室１３９ｂは、小室Ｓ６、小室Ｓ８および内部流路Ｐ４を介して洗浄水出口ＰＯに連通している。
【００７０】
小室Ｓ３、小室Ｓ４、小室Ｓ７および小室Ｓ８には、それぞれアンブレラパッキン１３７が設けられている。
【００７１】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【００７２】
図３の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【００７３】
図６はアンブレラパッキン１３７の動作を説明するための模式図である。例えば、図５の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図６（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図６（ａ）に示す状態のまま変形しない。そのため、洗浄水がポンプ室１３９ａ内へ流入したり、逆に洗浄水出口ＰＯより吐出されることもない。
【００７４】
一方、図５の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図６（ａ）に示す状態のまま変形しない。その結果、小室Ｓ１内の洗浄水が、ポンプ室１３９ａに流入しない。この場合、小室Ｓ７に設けられたアンブレラパッキン１３７は、図６（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【００７５】
なお、小室Ｓ４内に設けられたアンブレラパッキン１３７は、圧送ピストン１３６が上方向に移動した場合に、図６（ｂ）に示すように変形し、圧送ピストン１３６が下方向に移動した場合に、図６（ａ）に示す状態のまま変形しない。一方、小室Ｓ８に設けられたアンブレラパッキン１３７は、圧送ピストン１３６が上方向に移動した場合に、図６（ａ）に示す状態のまま変形せず、圧送ピストン１３６が下方向に移動した場合に、図６（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【００７６】
図７は図５のポンプ１３の各部の圧力変化を示す図である。図７の縦軸は圧力を示し、横軸は時間を示す。
【００７７】
図７に示すように、ポンプ１３の洗浄水入口ＰＩに圧力Ｐｉの洗浄水が供給される。この場合、図６の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【００７８】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【００７９】
以下に、ポンプ１３の動作に基づく吐出圧力の変化について説明する。なお、本実施の形態に係る衛生洗浄装置１００においては、切替弁１４を通過する洗浄水の流量は一定とする。ただし、切替弁１４を切り替えることにより、以下に示す圧力変動をおしりノズル１またはビデノズル２より噴出する洗浄水に与えることができる。
【００８０】
図８（ａ）〜（ｃ）は、第１の実施の形態において設定された水勢の違いによるポンプ１３の圧力変化を示す図である。縦軸はポンプ１３の吐出圧力を示し、横軸は時間を示す。図８（ｄ）は、吐出圧力の変動中心の圧力変化を示す図である。縦軸は吐出圧力の変動中心の圧力を示し、横軸は時間を示す。
【００８１】
図８（ａ）は、使用者が図２の水勢調整スイッチ３０２ａ，３０２ｂを押下し、水勢を「強」に設定した場合のポンプ１３の吐出圧力を示す図である。この場合、制御部４はポンプ１３のモータ１３０の回転数を大きくする。これにより、図５の圧送ピストン１３６の上下方向の運動周期が短くなる。その結果、ポンプ１３の吐出圧力の変動周波数が高くなり、吐出圧力の変動周期が小さくなる。また、吐出圧力の変動中心Ｐｏが高くなり、かつ、吐出圧力の変動幅が大きくなる。
【００８２】
また、図８（ｂ）は、使用者が図２の水勢調整スイッチ３０２ａ，３０２ｂ，３０２ｃを押下し、水勢を「中」に設定した場合のポンプ１３の吐出圧力を示す図である。この場合、制御部４はモータ１３０の回転数を中程度にする。これにより、図５の圧送ピストン１３６の上下方向の運動周期が中程度となる。その結果、ポンプ１３の吐出圧力の変動周波数が中程度となり、吐出圧力の変動周期が中程度となる。また、吐出圧力の変動中心Ｐｏが中程度となり、かつ、吐出圧力の変動幅が中程度となる。
【００８３】
さらに、図８（ｃ）は、使用者が図２の水勢調整スイッチ３０２ａ，３０２ｃを押下し、水勢を「弱」に設定した場合のポンプ１３の吐出圧力を示す図である。この場合、制御部４はモータ１３０の回転数を小さくする。これにより、図５の圧送ピストン１３６の上下方向の運動周期が長くなる。その結果、ポンプ１３の吐出圧力の変動周波数が低くなり、吐出圧力の変動周期が大きくなる。また、ポンプ１３の吐出圧力の変動中心Ｐｏが低くなり、かつ、吐出圧力の変動幅が小さくなる。
【００８４】
本実施の形態に係る衛生洗浄装置１００においては、水勢の調整がポンプ１３の回転数を変化させることにより行われる。これにより、使用者は、水勢調整スイッチ３０２ａ，３０２ｂにより、ノズル部３０から噴出される洗浄水の流量（中心圧力）、圧力変動幅および圧力変動周期を調整することができる。
【００８５】
このように、洗浄水の流量のみならず圧力変動幅および圧力変動周期を変化させることにより、流量のみの調整とは異なる洗浄感が得られる。したがって、使用者の嗜好に応じた種々の洗浄感を得ることが可能となる。
【００８６】
本実施の形態に係る衛生洗浄装置１００においては、おしりノズル１およびビデノズル２に応じてそれぞれ最適に圧力変動幅および圧力変動周期を制御することが好ましい。それにより、快適性および使い勝手が向上する。
【００８７】
図９（ａ）は切替弁１４の縦断面図であり、図９（ｂ）は図９（ａ）の切替弁１４のＡ−Ａ線断面図であり、図９（ｃ）は図９（ａ）の切替弁１４のＢ−Ｂ線断面図であり、図９（ｄ）は図９（ａ）の切替弁１４のＣ−Ｃ線断面図である。
【００８８】
図９に示す切替弁１４は、モータ１４１、内筒１４２および外筒１４３により構成される。
【００８９】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００９０】
図９（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図９（ｂ），（ｃ）に示すように、曲線および直線で構成される面取り部（凹部）が形成され、孔１４２ｇの周辺には、図９（ｄ）に示すように、直線で構成される面取り部（凹部）が形成されている。
【００９１】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００９２】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【００９３】
図１０は図９の切替弁１４の動作を示す断面図である。
図１０（ａ）〜（ｆ）は切替弁１４のモータ１４１がそれぞれ０度、９０度、１３５度、１８０度、２２５度および２７０度回転した状態を示す。
【００９４】
まず、図１０（ａ）に示すように、モータ１４１を回転させない（０度）場合には、内筒１４２の孔１４２ｅの周囲の面取り部（凹部）が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００９５】
次に、図１０（ｂ）に示すように、モータ１４１が内筒１４２を９０度回転させた場合には、内筒１４２の孔１４２ｇの周囲の面取り部（凹部）が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００９６】
次いで、図１０（ｃ）に示すように、モータ１４１が内筒１４２を１３５度回転させた場合には、内筒１４２の孔１４２ｇの周囲の面取り部（凹部）の一部が外筒１４３の洗浄水出口１４３ｅに対向するとともに、内筒１４２の孔１４２ｅの周囲の面取り部（凹部）の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００９７】
次に、図１０（ｄ）に示すように、モータ１４１が内筒１４２を１８０度回転させた場合には、内筒１４２の孔１４２ｅの周囲の面取り部（凹部）が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００９８】
次に、図１０（ｅ）に示すように、モータ１４１が内筒１４２を２２５度回転させた場合には、内筒１４２の孔１４２ｅの周囲の面取り部（凹部）の一部が外筒１４３の洗浄水出口１４３ｃに対向するとともに、内筒１４２の孔１４２ｆの周囲の面取り部（凹部）の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【００９９】
また、図１０（ｆ）に示すように、モータ１４１が内筒１４２を２７０度回転させた場合には、内筒１４２の孔１４２ｆの周囲の面取り部（凹部）が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【０１００】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【０１０１】
図１１は図１０の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄ノズル３に流出する洗浄水の流量を示す図である。図１１の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅからノズル洗浄ノズル３に流出する洗浄水の流量の変化を示す。
【０１０２】
例えば、図１１に示すように、モータ１４１が回転しない場合（０度）、洗浄水出口１４３ｂからビデノズル２に流出する洗浄水の流量Ｑ３は最大値を示す。そして、モータ１４１の回転角度が大きくなるとともに洗浄水出口１４３ｂからビデノズル２に流出する洗浄水の流量Ｑ３が減少し、洗浄水出口１４３ｅからノズル洗浄ノズル３に流出する洗浄水の流量Ｑ４が増加する。
【０１０３】
次いで、モータ１４１が９０度回転した場合、洗浄水出口１４３ｅからノズル洗浄ノズル３に流出する洗浄水の流量Ｑ４は最大値を示す。そして、モータ１４１の回転角度がさらに大きくなるとともに洗浄水出口１４３ｅからノズル洗浄ノズル３に流出する洗浄水の流量Ｑ４が減少し、洗浄水出口１４３ｃからおしりノズル１に流出する洗浄水の流量Ｑ１が増加する。
【０１０４】
続いて、モータ１４１が１８０度回転した場合、洗浄水出口１４３ｃからおしりノズル１に流出する洗浄水の流量Ｑ１は最大値を示す。そして、モータ１４１の回転角度がさらに大きくなるとともに洗浄水出口１４３ｃからおしりノズル１に流出する洗浄水の流量Ｑ１が減少し、洗浄水出口１４３ｄからおしりノズル１に流出する洗浄水の流量Ｑ２が増加する。
【０１０５】
続いて、モータ１４１が２７０度回転した場合、洗浄水出口１４３ｄからおしりノズル１に流出する洗浄水の流量Ｑ２は最大値を示す。そして、モータ１４１の回転角度がさらに大きくなるとともに洗浄水出口１４３ｄからおしりノズル１に流出する洗浄水の流量Ｑ２が減少し、洗浄水出口１４３ｂからビデノズル２に流出する洗浄水の流量Ｑ３が増加する。
【０１０６】
以上のように、制御部４は、切替弁１４のモータ１４１の回転角度を制御することにより洗浄水出口１４３ｂ〜１４３ｅから流出する洗浄水の流量を制御することができる。
【０１０７】
次に、図３のノズル部３０について説明する。図１２は図３のノズル部３０および切替弁１４の模式的断面図である。
【０１０８】
図１２に示すように、切替弁１４の洗浄水出口１４３ｃ，１４３ｄは、おしりノズル１に接続され、切替弁１４の洗浄水出口１４３ｂはビデノズル２に接続され、切替弁１４の洗浄水出口１４３ｅはノズル洗浄ノズル３に接続される。
【０１０９】
まず、おしりノズル１の構成について説明し、次いで、ビデノズル２の構成について説明し、最後にノズル洗浄ノズル３の構成について説明する。
【０１１０】
おしりノズル１は、円筒状のピストン部２０、円筒状のシリンダ部２１、シールパッキン２２ａ，２２ｂおよびスプリング２３により構成される。
【０１１１】
ピストン部２０の先端近傍には、洗浄水を噴出するための噴出孔２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。ピストン部２０の内部には、後端面から噴出孔２５に連通する第１の流路２７ａが形成され、ストッパ部２６ａとストッパ部２６ｂとの間におけるピストン部２０の周面から噴出孔２５に連通する第２の流路２７ｂが形成されている。また、噴出孔２５の周囲には、円筒状渦室２９が形成されており、第１の流路２７ａと円筒状渦室２９との間には、縮流部３１が介挿されている。
【０１１２】
一方、シリンダ部２１は、先端側の径小部分と中間の径を有する中間部分と後端側の径大部分とからなる。それにより、径小部分と中間部分との間に、ピストン部２０のストッパ部２６ａがシールパッキン２２ａを介して当接可能なストッパ面２１ｃが形成され、中間部分と径大部分との間に、ピストン部２０のストッパ部２６ｂがシールパッキン２２ｂを介して当接可能なストッパ面２１ｂが形成されている。シリンダ部２１の後端面には、洗浄水入口２４ａが設けられ、シリンダ部２１の中間部分の周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。洗浄水入口２４ａは、切替弁１４の洗浄水出口１４３ｄに接続され、洗浄水入口２４ｂは、切替弁１４の洗浄水出口１４３ｃに接続されている。ピストン部２０がシリンダ部２１より最も突出した場合に、洗浄水入口２４ｂは、第２の流路２７ｂと連通する。この洗浄水入口２４ｂが第２の流路２７ｂと接続する詳細については後述する。
【０１１３】
ピストン部２０は、ストッパ部２６ｂが温度変動緩衝部２８内に位置し、先端部が開口部２１ａから突出するように、シリンダ部２１内に移動可能に挿入されている。
【０１１４】
さらに、スプリング２３は、ピストン部２０のストッパ部２６ａとシリンダ部２１の開口部２１ａの周縁との間に配設されており、ピストン部２０をシリンダ部２１の後端側に付勢する。
【０１１５】
ピストン部２０のストッパ部２６ａ，２６ｂの外周面とシリンダ部２１の内周面との間に微小隙間が形成され、ピストン部２０の外周面とシリンダ部２１の開口部２１ａの内周面との間に微小隙間が形成されている。
【０１１６】
次に、ビデノズル２は、円筒状のピストン部２０ｅ、円筒状のシリンダ部２１ｅ、シールパッキン２２ｅおよびスプリング２３ｅにより構成される。
【０１１７】
ピストン部２０ｅの先端近傍には、洗浄水を噴出するための噴出孔２５ｅが形成されている。ピストン部２０ｅの後端には、フランジ形状のストッパ部２６ｅが設けられている。また、ストッパ部２６ｅには、シールパッキン２２ｅが装着されている。ピストン部２０ｅの内部には、後端面から噴出孔２５に連通する流路２７ｅが形成されている。
【０１１８】
一方、シリンダ部２１ｅは、先端側の径小部分と後端側の径大部分とからなる。それにより、径小部分と径大部分との間に、ピストン部２０ｅのストッパ部２６ｅがシールパッキン２２ｅを介して当接可能なストッパ面２１ｆが形成されている。シリンダ部２１ｅの後端面には、洗浄水入口２４ｅが設けられ、シリンダ部２１ｅの先端面には、開口部２１ｇが設けられている。シリンダ部２１ｅの内部空間が温度変動緩衝部２８ｅとなる。洗浄水入口２４ｅは、シリンダ部２１ｅの中心軸とは異なる位置に偏心して設けられている。洗浄水入口２４ｅは、切替弁１４の洗浄水出口１４３ｂに接続されている。
【０１１９】
ピストン部２０ｅは、ストッパ部２６ｅが温度変動緩衝部２８ｅ内に位置し、先端部が開口部２１ｇから突出するように、シリンダ部２１ｅ内に移動可能に挿入されている。
【０１２０】
さらに、スプリング２３ｅは、ピストン部２０ｅのストッパ部２６ｅとシリンダ部２１ｅの開口部２１ｇの周縁との間に配設されており、ピストン部２０ｅをシリンダ部２１ｅの後端側に付勢する。
【０１２１】
ピストン部２０ｅのストッパ部２６ｅの外周面とシリンダ部２１ｅの内周面との間に微小隙間が形成され、ピストン部２０ｅの外周面とシリンダ部２１ｅの開口部２１ｇの内周面との間に微小隙間が形成されている。
【０１２２】
次に、ノズル洗浄ノズル３は、円筒状の噴出部２０ｋにより構成される。噴出部２０ｋの先端近傍には、おしりノズル１側に洗浄水を噴出するための噴出孔２５ｋとビデノズル２側に洗浄水を噴出するための噴出孔２５ｍとが形成される。噴出部２０ｋの後端には洗浄水入口２４ｋが設けられる。噴出部２０ｋの後端に設けられた洗浄水入口２４ｋから噴出孔２５ｋおよび噴出孔２５ｍに連通する流路２７ｋが形成される。洗浄水入口２４ｋは、切替弁１４の洗浄水出口１４３ｅに接続されている。
【０１２３】
それにより、切替弁１４の洗浄水出口１４３ｅより供給された洗浄水が、ノズル洗浄ノズル３の噴出部２０ｋの洗浄水入口２４ｋを介して流路２７ｋを通して、噴出孔２５ｋおよび噴出孔２５ｍより噴出される。噴出孔２５ｋおよび噴出孔２５ｍより噴出された洗浄水により、おしりノズル１およびビデノズル２の洗浄が行われる。
【０１２４】
次いで、図１２のおしりノズル１およびビデノズル２の動作について説明する。まず、おしりノズル１の動作について説明し、次に、ビデノズル２の動作について説明する。図１３は図１２のおしりノズル１の動作を説明するための断面図である。
【０１２５】
図１３（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１２６】
次いで、図１３（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１２７】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内周面との間の微小隙間を通して、ピストン部２０の外周面とシリンダ部２１の開口部２１ａの内周面との間の微小隙間から流れ出るとともに、ピストン部２０の第１の流路２７ａを通して円筒状渦室２９に供給され、噴出孔２５からわずかに噴出される。円筒状渦室２９の詳細については後述する。
【０１２８】
ピストン部２０がさらに前進すると、図１３（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内周面との間の微小隙間からピストン部２０の外周面とシリンダ部２１の開口部２１ａの内周面との間の微小隙間に至る流路が遮断される。さらに、洗浄水入口２４ｂより供給された洗浄水が、ピストン部２０の第２の流路２７ｂを通して円筒状渦室２９に供給される。それにより、ピストン部２０の第２の流路２７ｂを通して円筒状渦室２９に供給された洗浄水は、ピストン部２０の第１の流路２７ａを通して供給された洗浄水と混合され、噴出孔２５から噴出される。
【０１２９】
このように、切替弁１４の洗浄水出口１４３ｃ，１４３ｄより供給された洗浄水が、シリンダ部２１の洗浄水入口２４ａ，２４ｂを介してピストン部２０内の第１の流路２７ａおよび第２の流路２７ｂを通して円筒状渦室２９に導かれ、円筒状渦室２９を通して噴出孔２５から噴出される。
【０１３０】
次いで、図１２のビデノズル２の動作について説明する。図１４は図１２のビデノズル２の動作を説明するための断面図である。
【０１３１】
まず、図１４（ａ）に示すように、シリンダ部２１ｅの洗浄水入口２４ｅより洗浄水が供給されない場合、ピストン部２０ｅが、スプリング２３ｅの弾性力により矢印Ｘの方向と逆方向に後退し、シリンダ部２１ｅ内に収容されている。その結果、ピストン部２０ｅは、シリンダ部２１ｅの開口部２１ｇより最も突出していない状態となる。このとき、シリンダ部２１ｅ内には、温度変動緩衝部２８ｅが形成されない。
【０１３２】
次いで、図１４（ｂ）に示すように、シリンダ部２１ｅの洗浄水入口２４ｅより洗浄水の供給が開始された場合、洗浄水の圧力によりピストン部２０ｅがスプリング２３ｅの弾性力に抗して矢印Ｘの方向に徐々に前進する。それにより、シリンダ部２１ｅ内に温度変動緩衝部２８ｅが形成されるとともに温度変動緩衝部２８ｅに洗浄水が流入する。
【０１３３】
洗浄水入口２４ｅがシリンダ部２１ｅの中心軸に対して偏心した位置に設けられているので、温度変動緩衝部２８ｅに流入した洗浄水は、矢印Ｖで示すように渦巻状に還流する。温度変動緩衝部２８ｅの洗浄水の一部は、ピストン部２０ｅのストッパ部２６ｅの外周面とシリンダ部２１ｅの内周面との間の微小隙間を通して、ピストン部２０ｅの外周面とシリンダ部２１ｅの開口部２１ｇの内周面との間の微小隙間から流れ出るとともに、ピストン部２０ｅの流路２７ｅを通して、噴出孔２５ｅからわずかに噴出される。
【０１３４】
ピストン部２０ｅがさらに前進すると、図１４（ｃ）に示すように、ストッパ部２６ｅがシールパッキン２２ｅを介してシリンダ部２１ｅのストッパ面２１ｆに水密に接触する。それにより、ピストン部２０ｅのストッパ部２６ｅの外周面とシリンダ部２１ｅの内周面との間の微小隙間からピストン部２０ｅの外周面とシリンダ部２１ｅの開口部２１ｇの内周面との間の微小隙間に至る流路が遮断される。それにより、ピストン部２０ｅの流路２７ｅを通して噴出孔２５ｅから噴出される。
【０１３５】
このように、切替弁１４の洗浄水出口１４３ｂより供給された洗浄水が、シリンダ部２１ｅの洗浄水入口２４ｅを介してピストン部２０ｅ内の流路２７ｅを通して円噴出孔２５ｅから噴出される。
【０１３６】
次いで、図１５は図１２のおしりノズル１のピストン部２０の先端部の模式図である。図１５（ａ）はピストン部２０の先端部を上面から見た場合を示し、図１５（ｂ）はピストン部２０の先端部を側面から見た場合を示す。
【０１３７】
まず、図１５（ｂ）に示すように、第１の流路２７ａは、円筒状の円筒状渦室２９の周面に接続され、第２の流路２７ｂは円筒状渦室２９の底面に接続されている。切替弁１４の洗浄水出口１４３ｃ，１４３ｄからの洗浄水が第１の流路２７ａおよび第２の流路２７ｂに供給される。
【０１３８】
図１５（ａ）に示すように、第１の流路２７ａより円筒状渦室２９に供給された洗浄水は、円筒状渦室２９の内周面の曲面形状により矢印Ｚに示す渦巻状態で流動する。一方、第２の流路２７ｂより円筒状渦室２９に供給された洗浄水は、垂直上方向に直線状態で流動する。
【０１３９】
このように、円筒状渦室２９において第１の流路２７ａの渦巻状態の洗浄水と第２の流路２７ｂの直線状の洗浄水とが混合され、噴出孔２５より洗浄水が噴出される。
【０１４０】
例えば、第１の流路２７ａより供給される洗浄水の流量が第２の流路２７ｂより供給される洗浄の流量よりも多い場合、円筒状渦室２９において混合される洗浄水は、円筒状の円筒状渦室２９の曲面形状による渦巻状態を強く維持するため、図１５（ｂ）に示す矢印Ｈの広い角度で分散旋回流として噴出される。一方、第２の流路２７ｂより供給される洗浄水の流量が第１の流路２７ａより供給される洗浄水の流量よりも多い場合、円筒状渦室２９において混合される洗浄水は、直線状態を強く維持するため、図１５（ｂ）に示す矢印Ｓの狭い角度で直線流として噴出される。
【０１４１】
したがって、制御部４が切替弁１４のモータ１４１を制御して洗浄水出口１４３ｃ，１４３ｄの流量比を変化させることにより、噴出孔２５より噴出される洗浄水の噴出形態が変化する。
【０１４２】
図１６は、１２００Ｗのセラミックヒータ５０５を用いた場合の洗浄水の流量と昇温可能な温度との関係を示す図である。図１６において、縦軸は洗浄水の昇温可能な温度を示し、横軸は洗浄水の流量を示す。
【０１４３】
本実施の形態に係る衛生洗浄装置が設置される一般家庭のコンセントの電流容量を最大１５Ａとする。この場合、最大１５００Ｗの電力が消費可能である。
【０１４４】
ここで、本実施の形態に係る衛生洗浄装置は、図１の便座部４００に便座用ヒータを内蔵し、図１の本体部２００に乾燥用ヒータおよび部屋暖房用ヒータを内蔵する。便座用ヒータの消費電力を約５０Ｗとし、乾燥用ヒータの消費電力を約３００Ｗとし、部屋暖房用ヒータの消費電力を約３００Ｗとする。また、本実施の形態に係る衛生洗浄装置において、上記各種ヒータの消費電力の他に制御部等の回路の消費電力を数十Ｗとする。
【０１４５】
乾燥用ヒータ、便座用ヒータ、部屋暖房用ヒータおよび図４の熱交換器１１のセラミックヒータ５０５は同時に使用されないものとすると、使用時の安全性を考慮に入れた場合、セラミックヒータ５０５は、約１２００Ｗの電力消費が可能である。
【０１４６】
ここで、最大消費電力１２００Ｗのセラミックヒータ５０５を用いた場合の洗浄水の加熱に必要な電力Ｐ（Ｗ）は次式（１）により与えられる。
【０１４７】
【数１】
2004092344.tif 000003
【０１４８】
上記において、Ｑ（ｃｃ／ｍｉｎ）は洗浄水の流量であり、１（ｃａｌ／ｇ・Ｋ）は水の比熱であり、Δ（Ｋ）は洗浄水の上昇温度であり、４．２（Ｊ／ｃａｌ）はジュール熱である。
【０１４９】
図１６によれば、洗浄水の流量を４３０ｃｃ／ｍｉｎに設定した場合、折れ線Ｌ上の点ＬＭより、洗浄水の昇温可能温度は４０ｄｅｇとなる。
【０１５０】
熱交換器１１のセラミックヒータ５０５は、洗浄水の加熱に際し約３％の放熱損失を生じる。つまり、熱交換器１１のセラミックヒータ５０５の洗浄水の加熱に対する熱効率は約９７％である。これにより、セラミックヒータ５０５は、４３０ｃｃ／ｍｉｎの流量を有する洗浄水に対しては３８．７ｄｅｇの昇温能力を有する。
【０１５１】
日本各地の給水温度についての調査の結果、給水温度は、最低で約２．５℃であることが確認されている。これにより、洗浄水の流量を４３０ｃｃ／ｍｉｎに設定すれば、洗浄水の温度を確実に４０℃まで加熱することができる。
【０１５２】
また、図１６によれば、洗浄水の流量を５００ｃｃ／ｍｉｎに設定した場合、折れ線上の点ＬＮより、洗浄水の昇温可能温度は３５ｄｅｇであり、約３％の放熱損失で計算すると３４．０ｄｅｇの昇温能力を有する。したがって、給水温度を２．５℃とした場合、セラミックヒータ５０５は、少なくとも洗浄水の温度を３６．５℃まで加熱できるため、使用者の体温程度に加熱することができる。
【０１５３】
図１７は、図２の遠隔操作装置３００により設定した水勢レベルとおしりノズル１から噴出される洗浄水の流量との関係を示す図である。図１７において、縦軸は洗浄水の流量を示し、横軸は遠隔操作装置３００により設定した水勢レベルを示す。
【０１５４】
なお、洗浄水の温度を確実に４０℃まで加熱することができるように、セラミックヒータ５０５による洗浄水の昇温能力の範囲内で洗浄水の流量を調整するモードを温度優先モードと呼び、セラミックヒータ５０５による洗浄水の昇温能力にかかわらず洗浄水の流量を調整するモードを流量優先モードと呼ぶ。
【０１５５】
本実施の形態においては、温度優先モードおよび流量優先モードの各々において洗浄水の流量を５段階に調整することができる。
【０１５６】
温度優先モードにおける洗浄水の最低流量は給水温度に関わらず３５０ｃｃ／ｍｉｎ（Ｅ点）である。温度優先モードにおける洗浄水の最高流量は給水温度により変動する。給水温度が高い場合、温度優先モードにおける洗浄水の最高流量は４５０ｃｃ／ｍｉｎ（Ｃ点）である。給水温度が低い場合、制御部４は（１）式により温度が４０℃に到達できる洗浄水の流量を計算し、その流量を最高流量に設定する。給水温度が最低の２．５℃の場合には、図１６で説明したように温度優先モードにおける洗浄水の最高流量は４３０ｃｃ／ｍｉｎ（Ｄ点）である。そして、制御部４は最低流量と最高流量とを基に洗浄水の流量を５段階に比例配分し、各水勢レベルの流量に設定する。この場合、水勢レベルと洗浄水の流量との関係を直線Ｙ，Ｚで示す。直線Ｙは、給水温度が高く、最高流量が４５０ｃｃ／ｍｉｎの場合を示し、直線Ｚは、給水温度が低く、最高流量が４３０ｃｃ／ｍｉｎの場合を示す。
【０１５７】
使用者は、図２の遠隔操作装置３００の水勢調整スイッチ３０２ａ，３０２ｂを押下操作して水勢レベルを変化させることにより、洗浄水の流量を調整することができる。
【０１５８】
温度優先モードにおいては、洗浄水の温度の低下が防止される。したがって、おしりノズル１から噴出される洗浄水は常に適切な温度に保たれる。
【０１５９】
次に、流量優先モードにおける洗浄水の流量の説明を行う。流量優先モードにおける洗浄水の最低流量は４７５ｃｃ／ｍｉｎ（Ｂ点）であり、最高流量は５００ｃｃ／ｍｉｎ（Ａ点）である。流量優先モードにおいては、各水勢レベルにおける洗浄水の流量は給水温度によって変動しない。各水勢レベルにおける洗浄水の流量は、最低流量と最高流量とを基に５段階に比例配分された値である。この場合、水勢レベルと洗浄水との関係を直線Ｘで示す。
【０１６０】
使用者は、図２の遠隔操作装置３００の水勢調整スイッチ３０２ａ，３０２ｂを押下操作して水勢レベルを変化させることにより、洗浄水の流量を調整することができる。
【０１６１】
流量優先モードにおいては、温度優先モードよりも流量の多い洗浄水がおしりノズル１から噴出される、したがって、使用者は高い洗浄力および洗浄感が得られる。
【０１６２】
図２の遠隔操作装置３００のおしりスイッチ３０３が押下操作されると温度優先モードで洗浄が開始され、パワースイッチ３０９が押下操作されると流量優先モードで洗浄が開始される。
【０１６３】
温度優先モードで洗浄中にパワースイッチ３０９が押下操作されると動作モードが流量優先モードに切り替わり、洗浄水の流量は５００ｃｃ／ｍｉｎ（Ａ点）に調整される。一方、流量優先モードで洗浄中におしりスイッチ３０３が押下操作されると動作モードが温度優先モードに切り替わり、洗浄水の流量は４５０ｃｃ／ｍｉｎ（Ｃ点）に調整される。このとき、洗浄水の流量が急激に低下するとセラミックヒータ５０５の昇温能力が過剰となり、洗浄水の温度が急激に上昇し、高温の洗浄水が噴出する可能性もある。そのため、動作モードが流量優先モードから温度優先モードに切り替わるときは、ヒータ５０５の温度低下速度に併せて洗浄水の流量を４５０ｃｃ／ｍｉｎまで漸減させる。さらに、洗浄水の流量は給水温度に基づいて計算された温度優先モードにおける洗浄水の最高流量に調整される。
【０１６４】
なお、洗浄水の広がり角度が大きい場合には、使用者は洗浄水の温度を低く感じる傾向にある。それにより、制御部４は、流量優先モードにおける洗浄水の噴出形態を直線流とし、流量優先モードで洗浄中は遠隔操作装置３００の噴出形態調整スイッチ３０２ｅ，３０２ｆを無効とする。また、温度優先モードで洗浄中に遠隔操作装置３００の噴出形態調整スイッチ３０２ｅ，３０２ｆの押下操作により洗浄水の広がり角度が大きく設定されている場合には、制御部４は、流量優先モードへの切替を無効とする。その結果、洗浄水の体感温度が低下することが防止される。
【０１６５】
本実施の形態においては、温度優先モードの最低流量を３５０ｃｃ／ｍｉｎとし、最高流量を４３０〜４５０ｃｃ／ｍｉｎとしているが、それに限られず、最低流量をさらに少なくしてもよいし、セラミックヒータ５０５の昇温能力の範囲内で最高流量をさらに多くしてもよい。また、流量優先モードの最低流量は４７５ｃｃ／ｍｉｎとしているが、５００ｃｃ／ｍｉｎ以下であれば他の流量でも構わない。例えば、流量優先モードの最低流量は３５０ｃｃ／ｍｉｎでもよいし、それ以下でもよい。さらに、温度優先モードおよび流量優先モードの各々において水勢レベルを５段階としたが、それに限られない。
【０１６６】
図１８および図１９は温度優先モードおよび流量優先モードにおける制御部４の動作を示すフローチャートを示す。図２、図１７、図１８および図１９を用いて温度優先モードおよび流量優先モードの動作を説明する。給水温度は比較的高く、温度優先モードにおける洗浄水の最高流量が４５０ｃｃ／ｍｉｎであるとする。また、洗浄水の流量はポンプの回転数により調整するものとする。
【０１６７】
ここで、水勢調整スイッチ３０２ａまたは３０２ｂが押下されると水勢調整スイッチ押下信号が制御部４に送信され、おしりスイッチ３０３が押下されるとおしりスイッチ押下信号が制御部４に送信され、停止スイッチ３０５が押下されると停止スイッチ押下信号が制御部４に送信され、パワースイッチ３０９が押下されるとパワースイッチ押下信号が制御部４に送信されるものとする。
【０１６８】
まず、制御部４は、遠隔操作装置３００よりおしりスイッチ押下信号を受信したか否かを判定する（ステップＳ１１）。制御部４は、おしりスイッチ押下信号を受信した場合、温度優先モードでの洗浄動作を開始する。
【０１６９】
制御部４は、図５のポンプ１３をオンし、図１７のＥ点の状態になるようにポンプ１３の回転数を制御して洗浄水の流量を調整する（ステップＳ１２）。
【０１７０】
次に、制御部４は、給水温度に基づいて各水勢レベルにおける洗浄水の流量を計算する（ステップＳ１３）。
【０１７１】
次いで、制御部４は、遠隔操作装置３００によりパワースイッチ押下信号を受信したか否かを判定する（ステップＳ１４）。制御部４は、パワースイッチ押下信号を受信しなかった場合、遠隔操作装置３００により停止スイッチ押下信号を受信したか否かを判定する（ステップＳ１５）。停止スイッチ押下信号を受信しなかった場合、制御部４は、遠隔操作装置３００により水勢調整スイッチ押下信号を受信したか否かを判定する（ステップＳ１６）。
【０１７２】
制御部４は、水勢調整スイッチ押下信号を受信した場合、洗浄水の流量を調整する（ステップＳ１７）。この場合、制御部４は、水勢調整スイッチ押下信号に基づいて、洗浄水の流量が水勢調整スイッチ３０２ａ，３０２ｂにより設定された水勢レベルに対応する流量になるようにポンプ１３の回転数を制御し、ステップＳ１３の動作から再度繰り返す。
【０１７３】
また、制御部４は、ステップＳ１５において停止スイッチ押下信号を受信した場合、洗浄動作を停止する。制御部４は、ステップＳ１６において水勢調整スイッチ押下信号を受信しなかった場合、ステップＳ１３の動作から再度繰り返す。
【０１７４】
一方、制御部４は、ステップＳ１１においておしりスイッチ押下信号を受信しなかった場合、パワースイッチ押下信号を受信したか否かを判定する（ステップＳ１１ａ）。制御部４は、ステップＳ１１ａおよびＳ１４においてパワースイッチ押下信号を受信した場合、動作モードを流量優先モードに切り替え、図１７のＡ点の状態になるようにポンプ１３の回転数を制御して洗浄水の流量を調整する（ステップＳ２１）。
【０１７５】
次に、制御部４は、遠隔操作装置３００により停止スイッチ押下信号を受信したか否かを判定する（ステップＳ２２）。制御部４は、停止スイッチ押下信号を受信しなかった場合、遠隔操作装置３００により水勢調整スイッチ押下信号を受信したか否かを判定する（ステップＳ２３）。制御部４は、水勢調整スイッチ押下信号を受信しなかった場合、遠隔操作装置３００によりおしりスイッチ押下信号を受信したか否かを判定する（ステップＳ２４）。制御部４は、おしりスイッチ押下信号を受信した場合、動作モードを温度優先モードに切り替え、図１７のＣ点の状態になるようにポンプ１３の回転数を制御して洗浄水の流量を調整し（ステップＳ２５）、図１８のステップＳ１３の動作を行う。この場合、制御部４は、セラミックヒータ５０５の温度低下の速度に合わせて洗浄水の流量を漸減させる。
【０１７６】
また、制御部４は、ステップＳ２２において停止スイッチ押下信号を受信した場合、洗浄動作を停止する。制御部４は、ステップＳ２３において水勢調整スイッチ押下信号を受信した場合、水勢調整スイッチ押下信号に基づいて洗浄水の流量が水勢調整スイッチ３０２ａ，３０２ｂにより設定された水勢レベルに対応する流量になるようにポンプ１３の回転数を制御して洗浄水の流量を調整し（ステップＳ２３ａ）、ステップＳ２４の動作を行う。制御部４は、ステップＳ２４においておしりスイッチ押下信号を受信しなかった場合、ステップＳ２２の動作から再度繰り返す。
【０１７７】
なお、図１８および図１９で示したフローチャートでは洗浄水の流量をポンプ１３の回転数により制御したが、図９の切替弁１４の回転角度により制御してもよいし、ポンプ１３の回転数および切替弁１４の回転角度の両方により制御してもよい。
【０１７８】
本実施の形態に係る衛生洗浄装置１００においては、水道配管２０１が給水源に相当し、ノズル部３０が噴出手段に相当し、ポンプ１３が加圧手段に相当し、切替弁１４が流量調整弁、広がり角度調整手段および噴出形態調整手段に相当し、制御部４が制御手段に相当し、セラミックヒータ５０５が瞬間式加熱手段に相当し、遠隔操作装置３００が水勢設定手段、動作モード設定手段および噴出形態設定手段に相当し、おしりスイッチ３０３およびパワースイッチ３０９が選択スイッチに相当し、切替弁１４のモータ１４１とポンプ１３が流量調整手段に相当する。
【０１７９】
【発明の効果】
本発明に係る衛生洗浄装置においては、給水源から供給される洗浄水が瞬間式加熱手段により流動されつつ加熱され、加熱された洗浄水が噴出手段から噴出される。噴出手段から噴出される洗浄水の流量は流量調整手段により調整される。使用者は水勢設定手段を用いて水勢を設定することができ、動作モード設定手段を用いて動作モードを温度優先モードまたは流量優先モードに設定することができる。
【０１８０】
温度優先モード時には、加熱された洗浄水の温度が所定の下限値以上となる流量の範囲内において水勢設定手段により設定された水勢に基づいて制御手段により流量調整手段が制御される。この場合、洗浄水の温度を所定の下限値以上に制御することが、洗浄水の流量を設定された水勢に対応する流量に制御することよりも優先される。それにより、適切な温度の洗浄水が噴出手段から噴出される。
【０１８１】
流量優先モード時には、温度の下限値にかかわらず洗浄水の流量が所定の値になるように制御手段により流量調整手段が制御される。この場合、洗浄水の流量を所定の値に制御することが、洗浄水の温度を所定の下限値以上に制御することよりも優先される。それにより、周囲の温度にかかわらず十分な流量の洗浄水が噴出手段から噴出される。
【図面の簡単な説明】
【図１】本発明の一実施の形態に係る衛生洗浄装置を便器に装着した状態を示す斜視図
【図２】図１の遠隔操作装置の一例を示す模式図
【図３】本発明の一実施の形態に係る衛生洗浄装置の構成を示す模式図
【図４】熱交換器の構造の一例を示す一部切り欠き断面図
【図５】本実施の形態に係るポンプの構成を示す模式的断面図
【図６】アンブレラパッキンの動作を説明するための模式図
【図７】図５のポンプの圧力変化を示す図
【図８】水勢の違いによるポンプの圧力変化を示す図
【図９】（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図１０】図１０の切替弁の動作を示す断面図
【図１１】図９の切替弁の洗浄水出口からおしりノズルに流出する洗浄水の流量、洗浄水出口からビデノズルに流出する洗浄水の流量および洗浄水出口からノズル洗浄ノズルに流出する洗浄水の流量を示す図
【図１２】図３のノズル部および切替弁の模式的断面図
【図１３】図１２のおしりノズルの動作を説明するための断面図
【図１４】図１２のビデノズルの動作を説明するための断面図
【図１５】図１２のおしりノズルのピストン部の先端部の模式図
【図１６】１２００Ｗのセラミックヒータを用いた場合の洗浄水の流量と昇温可能な温度との関係を示す図
【図１７】温度優先モードと流量優先モードとにおける洗浄水の流量と水勢レベルとの関係を示す図
【図１８】温度優先モードと流量優先モードとにおける制御部４の動作を説明するフローチャート
【図１９】温度優先モードと流量優先モードとにおける制御部４の動作を説明するフローチャート
【符号の説明】
１　おしりノズル
２　ビデノズル
３　ノズル洗浄ノズル
４　制御部
１１　熱交換器
１３　ポンプ
１４　切替弁
３０　ノズル部
１４１　モータ
２００　本体部
３００　遠隔操作装置
３０２ａ，３０２ｂ　水勢調整スイッチ
３０３　おしりスイッチ
３０９　パワースイッチ
【図１】
2004092344.tif 000004
【図２】
2004092344.tif 000005
【図３】
2004092344.tif 000006
【図４】
2004092344.tif 000007
【図５】
2004092344.tif 000008
【図６】
2004092344.tif 000009
【図７】
2004092344.tif 000010
【図８】
2004092344.tif 000011
【図９】
2004092344.tif 000012
【図１０】
2004092344.tif 000013
【図１１】
2004092344.tif 000014
【図１２】
2004092344.tif 000015
【図１３】
2004092344.tif 000016
【図１４】
2004092344.tif 000017
【図１５】
2004092344.tif 000018
【図１６】
2004092344.tif 000019
【図１７】
2004092344.tif 000020
【図１８】
2004092344.tif 000021
【図１９】
2004092344.tif 000022